(57)【特許請求の範囲】
【請求項１】
加熱調理器本体に設けられた横倒れ姿勢の枢支軸と、
上端部に備えた運転操作部を前記加熱調理器本体の前方に突出させる突出位置と前記運転操作部を前記加熱調理器本体の内方に引退させる引退位置とに前後揺動により切換えるべく、下端部を前記枢支軸に揺動自在に枢支させた操作部支持枠と、
下端部を前記枢支軸に揺動自在に枢支させかつ前記操作部支持枠に一体揺動するように連結した状態で前記操作部支持枠の前面側に設けられる板状の操作部カバーと、を設け、
前記操作部カバーの下端部に、前記枢支軸に揺動自在に外嵌する複数の外嵌支持部を設け、前記操作部カバーの前記外嵌支持部よりも上方箇所に、前記操作部支持枠に設けた複数の被係合部に係合させる複数の係合部を設け、
前記外嵌支持部を、前記操作部カバーの上下幅方向の下方に向かって開口し且つ幅広状態に弾性的に変形可能な開口部を備える弾性外嵌式に構成し、
前記係合部を、前記枢支軸を支点として前記操作部カバーを揺動させることにより、前記被係合部に弾性的に係合する弾性係合式に構成した加熱調理器用操作装置であって、
前記外嵌支持部の開口部形成部を前記枢支軸に載置した状態で前記操作部カバーを前記操作部支持枠に近接する側に揺動させたときに、前記操作部支持枠に設けた被当接部との当接により前記操作部カバーを下方側に押圧移動させる当接部を、前記外嵌支持部に設けてある加熱調理器用操作装置。
【請求項２】
前記操作部支持枠が、前面側に支持枠開口部が形成された本体部と、前記支持枠開口部を覆う内蓋とから構成され、
前記内蓋に前記外嵌支持部が挿通する挿通口を設け、前記挿通口の周縁部が前記被当接部を構成する請求項１記載の加熱調理器用操作装置。
【請求項３】
前記内蓋が、下端部を前記枢支軸に揺動自在に枢支させかつ上端側部分を前記本体部に接続する形態で設けられている請求項２記載の加熱調理器用操作装置。
【発明の詳細な説明】
【技術分野】
【０００１】
本発明は、加熱調理器本体に設けられた横倒れ姿勢の枢支軸と、
上端部に備えた運転操作部を前記加熱調理器本体の前方に突出させる突出位置と前記運転操作部を前記加熱調理器本体の内方に引退させる引退位置とに前後揺動により切換えるべく、下端部を前記枢支軸に揺動自在に枢支させた操作部支持枠と、
下端部を前記枢支軸に揺動自在に枢支させかつ前記操作部支持枠に一体揺動するように連結した状態で前記操作部支持枠の前面側に設けられる板状の操作部カバーと、を設け、
前記操作部カバーの下端部に、前記枢支軸に揺動自在に外嵌する複数の外嵌支持部を設け、前記操作部カバーの前記外嵌支持部よりも上方箇所に、前記操作部支持枠に設けた複数の被係合部に係合させる複数の係合部を設け、
前記外嵌支持部を、前記操作部カバーの上下幅方向の下方に向かって開口し且つ幅広状態に弾性的に変形可能な開口部を備える弾性外嵌式に構成し、
前記係合部を、前記枢支軸を支点として前記操作部カバーを揺動させることにより、前記被係合部に弾性的に係合する弾性係合式に構成した加熱調理器用操作装置に関する。
【背景技術】
【０００２】
かかる加熱調理器用操作装置は、一般には、キッチンキャビネットに装着するビルトイン式の加熱調理器の前面部に設けられるものであり、運転操作部を使用しないときには、操作部支持枠を加熱調理器本体の内方に引退させた引退位置に位置させておくことにより、加熱調理器の外観を美麗にし、しかも、運転操作部がキッチンキャビネットの前方箇所にて調理作業を行う作業者の邪魔になることを回避できるものであり、また、運転操作部を使用するときには、操作部支持枠を加熱調理器本体の前方に突出させた突出位置に位置させることにより、運転操作部に対する操作を良好に行えるものである。
【０００３】
そして、操作部カバーが操作部支持枠に対して着脱することができるものであるから、加熱調理器本体をキッチンキャビネットに装着する際に、操作部カバーを外しておき、加熱調理器本体をキッチンキャビネットに装着した後に、操作部カバーを装着するようにすることにより、加熱調理器本体をキッチンキャビネットに装着する作業が行い易いばかりでなく、その作業中における操作部カバーの損傷を抑制できるものとなる。
【０００４】
又、操作部カバーを操作部支持枠の前面側に装着するときには、操作部カバーに設けた複数の外嵌支持部を、加熱調理器本体に設けた枢支軸に外嵌させ、その状態で、枢支軸を支点として操作部カバーを上方に揺動させて、係合部を被係合部に係合させればよく、また、操作部カバーを外すときには、逆の手順にて行えるものであるから、操作部カバーの脱着を簡便に行えるものである（例えば、特許文献１参照。）。
【０００５】
ちなみに、特許文献１に記載の如く、一般には、操作部カバーが、加熱調理器本体の横端部とキッチンキャビネットの前面開口部との間の隙間を覆うべく加熱調理器本体の横外方に張り出す状態で設けられており、操作部カバーによって、加熱調理器本体の横端部とキッチンキャビネットの前面開口部との間の隙間を覆うため、キッチンキャビネットに設置された加熱調理器の外観を一層美麗にすることができる。
【先行技術文献】
【特許文献】
【０００６】
【特許文献１】特開２０１４−０３５１２３号公報
【発明の概要】
【発明が解決しようとする課題】
【０００７】
加熱調理器用操作装置においては、操作部カバーを操作部支持枠に装着する際には、外嵌支持部を枢支軸に外嵌させ、その後、操作部カバーを操作部支持枠に向けて上方側に揺動させることになるが、複数の外嵌支持部の一部又は全部が枢支軸に外嵌していない状態で、操作部カバーを操作部支持枠に向かって上方側に揺動させてしまう場合がある。
【０００８】
つまり、操作部カバーを操作部支持枠に装着する際には、先ず、操作部カバーを横倒れ姿勢等の装着に適した姿勢にし、弾性外嵌式に構成された複数の外嵌支持部の開口部を枢支軸に向けた状態で、枢支軸に向かって操作部カバーを押圧移動操作することにより、外嵌支持部を枢支軸に外嵌させ、その後、操作部カバーを操作部支持枠の前面側に向かって上方側に揺動させることになる。
【０００９】
しかしながら、操作カバーを枢支軸に向けて押圧移動操作することが不十分である等の場合には、複数の外嵌支持部の一部又は全部が枢支軸に適正通り外嵌されずに、外嵌支持部の開口部形成部が枢支軸に載置された状態のままで、操作部カバーを操作部支持枠の前面側に向かって上方側に揺動させてしまう場合がある。
【００１０】
その結果、外嵌支持部の一部又は全部の開口部形成部が枢支軸に載置された状態で、複数の係合部が操作部支持枠の複数の被係合部に係合した状態となる装着形態で、操作部カバーが操作部支持枠の前面側に装着される虞がある。
【００１１】
このように、外嵌支持部が枢支軸に外嵌されずに、複数の係合部が操作部支持枠の複数の被係合部に係合する装着形態で操作部カバーが操作部支持枠に装着されてしまうと、操作部カバーの設置位置が適正位置からずれること等により、美観が悪くなることや、操作部支持枠を揺動させるときに操作部カバーが加熱調理器を構成する他の部材と接触すること等の不具合が発生する虞がある。また、係合部と被係合部との係合だけで、操作部カバーが操作部支持枠に対して保持されることとなるので、係合部に大きな応力がかかって、係合部が破壊する虞もある。
【００１２】
本発明は、上記実情に鑑みてなされたものであって、その目的は、操作部支持枠に対する操作部カバーの装着を、外嵌支持部が枢支軸に外嵌された適正状態に適切に行うことができる加熱調理器用操作装置を提供する点にある。
【課題を解決するための手段】
【００１３】
本発明の加熱調理器用操作装置は、
加熱調理器本体に設けられた横倒れ姿勢の枢支軸と、
上端部に備えた運転操作部を前記加熱調理器本体の前方に突出させる突出位置と前記運転操作部を前記加熱調理器本体の内方に引退させる引退位置とに前後揺動により切換えるべく、下端部を前記枢支軸に揺動自在に枢支させた操作部支持枠と、
下端部を前記枢支軸に揺動自在に枢支させかつ前記操作部支持枠に一体揺動するように連結した状態で前記操作部支持枠の前面側に設けられる板状の操作部カバーと、を設け、
前記操作部カバーの下端部に、前記枢支軸に揺動自在に外嵌する複数の外嵌支持部を設け、前記操作部カバーの前記外嵌支持部よりも上方箇所に、前記操作部支持枠に設けた複数の被係合部に係合させる複数の係合部を設け、
前記外嵌支持部を、前記操作部カバーの上下幅方向の下方に向かって開口し且つ幅広状態に弾性的に変形可能な開口部を備える弾性外嵌式に構成し、
前記係合部を、前記枢支軸を支点として前記操作部カバーを揺動させることにより、前記被係合部に弾性的に係合する弾性係合式に構成した加熱調理器用操作装置であって、その特徴構成は、
前記外嵌支持部の開口部形成部を前記枢支軸に載置した状態で前記操作部カバーを前記操作部支持枠に近接する側に揺動させたときに、前記操作部支持枠に設けた被当接部との当接により前記操作部カバーを下方側に押圧移動させる当接部を、前記外嵌支持部に設けてある点にある。
【００１４】
上記特徴構成によれば、弾性外嵌式に構成された複数の外嵌支持部の一部又は全部の開口部形成部を枢支軸に載置した状態で、操作部カバーを操作部支持枠に近接する側に揺動させれば、操作部カバーの外嵌支持部に設けた当接部が、操作部支持枠に設けた被当接部に当接して、操作部カバーの外嵌支持部が下方側に押圧移動される。
操作部カバーの外嵌支持部が下方側に押圧移動されると、枢支軸に載置された状態となっている外嵌支持部が、枢支軸に向かって移動して、枢支軸に外嵌することになる。
【００１５】
したがって、操作部カバーを操作部支持枠に装着する際に、複数の外嵌支持部の開口部を枢支軸に向けた状態で、枢支軸に向かって操作部カバーを押圧移動操作する操作力が不十分である等により、複数の外嵌支持部の一部又は全部の開口部形成部が枢支軸に載置した状態となっているままで、操作部カバーを操作部支持枠に近接する側に揺動させても、外嵌支持部を枢支軸に外嵌させるようにしながら、複数の係合部を複数の被係合部に係合させることができる。
【００１６】
しかも、本特徴構成によれば、操作部カバーを操作部支持枠に近接する側に揺動させるに伴って、枢支軸に載置された状態となっている外嵌支持部を枢支軸に向かって移動させるにあたり、外嵌支持部に設けた当接部を操作部支持枠に設けた被当接部に当接させるものであるから、外嵌支持部を的確に枢支軸に向かって移動させることができるものとなるため、外嵌支持部を適切に枢支軸に外嵌させることができる。
【００１７】
つまり、例えば、当接部を係合部に設け、被当接部を係合部に設けた当接部に当接させる形態で操作部支持枠に設けることが考えられるが、この場合、係合部と外嵌支持部とが操作カバーの上下幅方向に離れていることにより、係合部に与えられた力にて外嵌支持部を枢支軸に向けて的確に移動させ難い場合があること等に起因して、外嵌支持部を的確に枢支軸に向かって移動させることができない虞があるが、外嵌支持部に設けた当接部を操作部支持枠に設けた被当接部に当接させることによって、外嵌支持部を的確に枢支軸に向かって的確に移動させることができるのである。
【００１８】
また、外嵌支持部に設けた当接部を操作部支持枠に設けた被当接部に当接させながら、操作部カバーを操作部支持枠に近接する側に揺動させる際には、外嵌支持部に設けた当接部が被当接部に当接することにより、操作部カバーを操作部支持枠に近接する側に揺動させることに抵抗が与えられるものとなるが、操作部カバーを操作部支持枠に近接する側に揺動させることを良好に行うことができる。
【００１９】
つまり、操作部カバーを操作部支持枠に近接する側に揺動させるときには、外嵌支持部が設けられる下端部とは上下反対側の操作部カバーにおける上端側部分を支持しながら、操作部カバーを操作部支持枠に近接する側に揺動操作することになるから、操作部カバーの上下長さを利用したモーメント力が得られるため、外嵌支持部に設けた当接部を被当接部に当接させるものでありながらも、操作部カバーを操作部支持枠に近接する側に揺動させる操作力が大きくなることを抑制でき、その結果、操作部カバーを操作部支持枠に近接する側に揺動させることを良好に行うことができる。
【００２０】
要するに、本願発明の加熱調理器用操作装置の特徴構成によれば、操作部支持枠に対する操作部カバーの装着を、外嵌支持部が枢支軸に外嵌された適正状態に適切に行うことができる。
【００２１】
本発明に係る加熱調理器用操作装置の更なる特徴構成は、前記操作部支持枠が、前面側に支持枠開口部が形成された本体部と、前記支持枠開口部を覆う内蓋とから構成され、
前記内蓋に前記外嵌支持部が挿通する挿通口を設け、前記挿通口の周縁部が前記被当接部を構成する点にある。
【００２２】
上記特徴構成によれば、支持枠開口部を覆う内蓋が設けられているので、操作部支持枠の内部に装備した電子機器等の機器類を内蓋によって保護することができる。
つまり、操作カバーを外した状態においても、内蓋によって、操作部支持枠の内部に装備した電子機器等の機器類が露出することを抑制できるため、操作部支持枠の内部に装備した電子機器等の機器類が不必要に触られて損傷することを抑制できる。
【００２３】
そして、本特徴構成によれば、外嵌支持部を挿通させるために内蓋に設けられた挿通口における周縁部を被当接部として利用するものであるから、内蓋を有効利用した簡素な構成にて被当接部を構成することができる。
【００２４】
要するに、本発明の加熱調理器用操作装置の更なる特徴構成によれば、内蓋を有効利用した簡素な構成にて、操作部カバーの操作部支持枠に対する装着を適切に行うことができる。
【００２５】
本発明に係る加熱調理器用操作装置の更なる特徴構成は、前記内蓋が、下端部を前記枢支軸に揺動自在に枢支させかつ上端側部分を前記本体部に接続する形態で設けられている点にある。
【００２６】
上記特徴構成によれば、内蓋の下端部を枢支軸に揺動自在に枢支させ、内蓋の上端側部分を本体部に接続する形態で、内蓋が設けられているから、操作部支持枠の内部に装備した電子機器等の機器類を点検するとき等においては、内蓋の上端側部分と本体部との接続を解除することにより、枢支軸を支点にして内蓋を揺動開閉させることができる。
【００２７】
そして、操作部カバーの外嵌支持部及び内蓋の下端部が、同じ枢支軸に枢支されるものであるから、両者の位置関係が枢支軸を基準にして適切な関係に位置決めされるものとなるため、被当接部としての、内蓋に設けられた挿通口における周縁部と、外嵌支持部の当接部との位置関係を、枢支軸を基準にして適切な関係に位置決めでき、その結果、外嵌支持部に設けた当接部と被当接部との当接を良好に行うことができる。
【００２８】
要するに、本発明の加熱調理器用操作装置の更なる特徴構成によれば、外嵌支持部に設けた当接部と被当接部との当接を良好に行うことができる。
【図面の簡単な説明】
【００２９】
【図１】操作部支持枠が引退位置にある加熱調理器の斜視図
【図２】操作部支持枠が突出位置にある加熱調理器の斜視図
【図３】操作部カバーの装着前の操作装置を示す分解斜視図
【図４】操作部カバーの装着途中状態の操作装置を示す斜視図
【図５】操作部カバーの装着状態の操作装置を示す一部切欠正面図
【図６】係合部と被係合部との位置関係を示す横断面図
【図７】操作部カバーの装着前の操作装置を示す縦断面図
【図８】操作部カバーの装着途中状態の操作装置を示す縦断面図
【図９】操作部カバーの装着状態の操作装置を示す縦断面図
【図１０】当接部が被当接部に当接した状態の操作装置を示す縦断面図
【図１１】当接部が被当接部に当接した状態の操作装置を示す縦断面図
【図１２】加熱調理器をキッチンキャビネットに装着する途中状態を示す斜視図
【図１３】加熱調理器をキッチンキャビネットに装着した状態を示す斜視図
【発明を実施するための形態】
【００３０】
本発明に係る加熱調理器用操作装置を加熱調理器としてのガスコンロに適用する場合の実施形態について、以下、図面に基づいて説明する。
（ガスコンロの全体構成）
図１及び図２に示すように、加熱調理器としてのガスコンロＧＣが、加熱調理器本体としての調理器本体Ｈの上面部に、コンロバーナ１として、標準火力バーナ１Ａ、小火力バーナ１Ｂ及び大火力バーナ１Ｃを備え、且つ、調理器本体Ｈの横幅方向中央部にグリル部Ｇを備える形態に構成されている。
【００３１】
調理器本体Ｈは、上部が開口された箱状の金属製のケーシング２を主要部として構成されるものであって、ケーシング２の内部には、図示は省略するが、グリル部Ｇを構成するグリル庫、コンロバーナ１の混合管、グリル部Ｇに装備したグリルバーナの混合管等、種々の機器類が装備されている。
また、調理器本体Ｈの前面部の左右両側部には、加熱調理器用操作装置としての操作装置Ｍが組み付けられている。
左側の操作装置Ｍは、主として、グリル部Ｇに対する操作を行い、右側の操作装置Ｍは、主として、コンロバーナ１に対する操作を行うことになる。
【００３２】
調理器本体Ｈの上部には、ガラス製の天板３が配置され、調理器本体Ｈの上面部の後部側には、グリル部Ｇの燃焼排ガスを排気するためのグリル排気口４が形成されている。
また、天板３の上部には、コンロバーナ１にて加熱される鍋等の調理容器を載置するための五徳５が、３つのコンロバーナ１の夫々に対応して設けられている。
【００３３】
このガスコンロＧＣは、ビルトインタイプとして構成されるものであり、具体的には、調理器本体Ｈが、図１２及び図１３に示すように、キッチンキャビネットＫＮの上方開口部Ｋ１から下方に挿入されて、調理器本体Ｈの前面部をキッチンキャビネットＫＮの前面開口Ｋ２に臨ませた状態に組み付けられるように構成されている。
尚、詳述はしないが、調理器本体Ｈの上部の周縁部には、キッチンキャビネットＫＮの上面に載置する鍔部が形成されている。
【００３４】
また、調理器本体Ｈの横端部と前面開口Ｋ２との間の隙間を塞ぐ左右一対の隙間挿入部材Ｐが、調理器本体Ｈの横側壁における前方側箇所に装着されている（図１参照）。
ちなみに、隙間挿入部材Ｐは、ＡＢＳ樹脂又はＰＢＴ樹脂等の樹脂を射出成型して、柱状に構成されている。
【００３５】
（操作装置の詳細）
次に、操作装置Ｍについて説明するが、左右の操作装置Ｍは同様に構成されるものであるため、以下、右側の操作装置Ｍを代表にして説明する。
図３〜５及び図７〜９に示すように、調理器本体Ｈに組み付けられた状態でケーシング２内に位置する装置本体枠Ｂが装備されている。装置本体枠Ｂは、コンロ前後幅方向に向かう角筒状に構成された下方側部分ＢＳと、この下方側部分ＢＳの上部に接続され、下方側部分ＢＳよりもコンロ前後幅方向に向かう長さが短い角筒状に構成された上方側部分ＢＵとを備える形態に構成されている。
【００３６】
図１及び図３に示すように、装置本体枠Ｂの上方側部分ＢＵに、上方側操作装置部ＭＵが設けられ、また、装置本体枠Ｂの下方側部分ＢＳに、下方側操作装置部ＭＳが出退自在に設けられている。尚、左側の操作装置Ｍも、右側の操作装置Ｍと同様に、上方側操作装置部ＭＵと下方側操作装置部ＭＳが設けられている。
【００３７】
装置本体枠Ｂの上方側部分ＢＵには、調理器本体Ｈに電源を供給する電源スイッチ９、及び、左側から右側に向けて、標準火力バーナ１Ａに対する標準火力用操作具８Ａ、小火力バーナ１Ｂに対する小火力用操作具８Ｂ、及び、大火力バーナ１Ｃに対する大火力用操作具８Ｃが設けられている。尚、以下の記載において、標準火力用操作具８Ａ、小火力用操作具８Ｂ、及び、大火力用操作具８Ｃを区別する必要がないときには、単に、操作具８と記載する。
【００３８】
各操作具８は、対応するコンロバーナ１を点火する点火指令及び消火する消火指令を指令し、且つ、対応するコンロバーナ１の火力調節指令を指令するものであって、具体的には、各操作具８が後方側に押し込み操作されるごとに、点火指令と消火指令とを交互に指令し、また、前後方向軸心周りで正逆に回動操作されることにより、火力調節指令を指令するように構成されている。
【００３９】
また、図１及び図２に示すように、装置本体枠Ｂの上方側部分ＢＵの前面側を覆う上側カバー６が、上方側部分ＢＵに対して着脱自在に装備され、下方側操作装置部ＭＳの前面側を覆う操作部カバーとしての下側カバー７が、下方側操作装置部ＭＳに対して着脱自在に装備されている。
そして、図１２及び図１３に示すように、調理器本体ＨをキッチンキャビネットＫＮに装着する際には、上側カバー６及び下側カバー７を外しておき、調理器本体ＨをキッチンキャビネットＫＮに装着した後において、上側カバー６及び下側カバー７を装着できるように構成されている。
【００４０】
ちなみに、上側カバー６及び下側カバー７は、調理器本体Ｈの横端部とキッチンキャビネットＫＮの前面開口Ｋ２との間を覆うべく調理器本体Ｈの横外方に張り出す状態で設けられている。つまり、上側カバー６には、調理器本体Ｈの横外方に張り出す上側張出部分６ａが設けられ、また、下側カバー７には、調理器本体Ｈの横外方に張り出す下側張出部分７ａが設けられている。
そして、上側カバー６の上側張出部分６ａ及び下側カバー７の下側張出部分７ａが、上述した隙間挿入部材Ｐの前部相当箇所を覆う状態で、調理器本体Ｈの横端部とキッチンキャビネットＫＮの前面開口Ｋ２との間を覆うように構成されている。
【００４１】
図３及び図７に示すように、枢支軸１１が、装置本体枠Ｂにおける下方側部分ＢＳの左右の側壁部分１２の間に横倒れ姿勢で架設されている。
そして、下方側操作装置部ＭＳが、枢支軸１１に揺動自在に支持されて、調理器本体Ｈに対して出退自在に構成されている。
【００４２】
つまり、下方側操作装置部ＭＳは、上端部に備えた運転操作部Ｎを調理器本体Ｈの前方に突出させる突出位置（図２参照）と運転操作部Ｎを調理器本体Ｈの内方に引退させる引退位置（図１参照）とに前後揺動により切換えるべく、下端部を調理器本体Ｈに設けられた枢支軸１１に揺動自在に枢支させた操作部支持枠１３を備えている。
【００４３】
ちなみに、下方側操作装置部ＭＳに設けられた運転操作部Ｎは、標準火力バーナ１Ａ、小火力バーナ１Ｂ及び大火力バーナ１Ｃに対する自動運転情報を指令するように構成されている。つまり、例えば、燃焼している標準火力バーナ１Ａ、小火力バーナ１Ｂ及び大火力バーナ１Ｃを設定時間が経過すると自動的に消火するタイマ運転等、各種の運転を実行するための自動運転情報を指令するものであるが、その詳細は周知であるので、本実施形態においては詳細な説明は省略する。
【００４４】
尚、左側の操作装置Ｍの下方側操作装置部ＭＳには、図示は省略するが、グリルバーナに対する運転情報を指令する運転操作部が設けられて、この運転操作部によって、燃焼しているグリルバーナを設定時間が経過すると自動的に消火するタイマ運転等、各種の運転を実行するための自動運転情報が指令されることになる。
【００４５】
（操作部支持枠の詳細）
下方側操作装置部ＭＳに設けられた操作部支持枠１３は、図５及び図６に示すように、正面視形状が逆Ｕ字状に形成されて、前面側に支持枠開口部１３ａが形成された本体部としての支持枠本体部１３ｂと、支持枠開口部１３ａを覆う内蓋１３ｄとを備える形態に構成されている。
【００４６】
図３及び図７に示すように、内蓋１３ｄの下端部の左右両側箇所には、枢支軸１１に外嵌する一対の枢支部１４ａが設けられ、内蓋１３ｄの上端部には、支持枠本体部１３ｂの上縁部に弾性的に係合する状態に接続される接続部（図示を省略）が設けられている。
したがって、内蓋１３ｄが、下端部を枢支軸１１に揺動自在に枢支されて、枢支軸１１を中心とした前後揺動により支持枠開口部１３ａを開く状態と支持枠開口部１３ａを閉じる状態とに切換え自在に構成され、且つ、支持枠開口部１３ａを閉じる状態においては、上端部の接続部が、支持枠本体部１３ｂの上縁部に弾性的に係合するように構成されている。
【００４７】
図５及び図６に示すように、内蓋１３ｄの上方側部分の左右両側箇所には、下側カバー７の上方側部分の左右両側箇所に設けた係合片７ｂが挿通する係合片用挿通口１５が設けられている。
ちなみに、下側カバー７の上方側部分の左右両側箇所に設けた係合片７ｂの詳細については後述する。
尚、係合片用挿通口１５は、内蓋１３ｄの左右の端縁部に、横外方側が開口する状態に形成され、支持枠本体部１３ｂの左右の側壁部分１３ｃにて、開口する横外方側が閉じられるようになっている。
【００４８】
図３に示すように、内蓋１３ｄの下端部には、下側カバー７の下端部に設けた左右一対の外嵌支持部７ｃが挿通する左右一対の挿通口１４ｂが形成されている。
ちなみに、下側カバー７の下端部に設ける左右一対の外嵌支持部７ｃについては後述する。
【００４９】
（下側カバーの詳細）
図３及び図７に示すように、板状の下側カバー７は、その下端部を枢支軸１１に揺動自在に枢支させかつ操作部支持枠１３に一体揺動するように連結した状態で操作部支持枠１３の前面側に設けられている（図１及び図２参照）。
つまり、下側カバー７の上下幅方向における下端部の左右両側に、上述した一対の外嵌支持部７ｃが枢支軸１１に揺動自在に外嵌する形態で設けられており、これらの外嵌支持部７ｃが枢支軸１１に外嵌することにより、下側カバー７が操作部支持枠１３と同様に枢支軸１１を中心に揺動自在に構成されている。
【００５０】
尚、下側カバー７の下端部に設けられた突起部１０は、内側に導電性部材（図示せず）が備えられており、使用者の手指から下側カバー７に伝えられた静電気を、枢支軸１１に伝えるものである。これにより、操作部支持枠１３の運転操作部Ｎにおける放電の発生やそれに伴うノイズの発生を防止するものである。
【００５１】
外嵌支持部７ｃは、下側カバー７の上下幅方向の下方に向かって開口し且つ幅広状態に弾性的に変形可能な開口部７ｅを備える弾性外嵌式に構成されている。
したがって、開口部７ｅを枢支軸１１に向ける状態で、下側カバー７を枢支軸１１に向かう方向に押圧移動操作することにより、外嵌支持部７ｃが枢支軸１１に外嵌するように構成されている。これとは逆に、外嵌支持部７ｃが枢支軸１１に外嵌する状態で、下側カバー７を枢支軸１１から離間する方向に移動操作することにより、外嵌支持部７ｃを枢支軸１１から取り外すことができる。
【００５２】
また、図６に示すように、下側カバー７には、一対の外嵌支持部７ｃよりも下側カバー７の上下幅方向における上方箇所に、操作部支持枠１３の左右の側壁部分１３ｃに設けた一対の被係合部としての一対の貫通孔Ｅに係合させる一対の係合部Ｆが設けられている。
【００５３】
一対の係合部Ｆの夫々は、下側カバー７に設けた上述した係合片７ｂに、貫通孔Ｅに係合する係合突起１７を備える形態に構成されている。この係合片７ｂは、上下幅が横幅よりも大きい板状で、かつ、後方に伸びる長尺状に形成されている。
そして、係合突起１７が、下側カバー７の左右幅方向において下側カバー７の外方に向かって突出する状態で、係合片７ｂの先端側に設けられている。
【００５４】
係合部Ｆは、枢支軸１１を支点として下側カバー７を揺動させることにより、係合突起１７が貫通孔Ｅに弾性的に係合する弾性係合式に構成されている。
つまり、図４、図６及び図８に示すように、枢支軸１１を支点として下側カバー７を揺動させることにより、操作部支持枠１３の左右の側壁部分１３ｃの内面に、一対の係合片７ｂの係合突起１７が当接して、一対の係合片７ｂが下側カバー７の横幅方向の内方に向かって弾性変形した状態で、一対の係合片７ｂが操作部支持枠１３に挿入する。
【００５５】
この状態でさらに下側カバー７を揺動させることにより、操作部支持枠１３の左右の側壁部分１３ｃに設けた一対の貫通孔Ｅに、一対の係合片７ｂに設けられた夫々の係合突起１７が、下側カバー７の内方に向かって弾性変形している一対の係合片７ｂの復元力によって係合するように構成されている。
尚、支持枠本体部１３ｂの左右の側壁部分１３ｃにおける係合片用挿通口１５に対向する箇所には、係合片７ｂを受止め案内する傾斜面Ｓが形成されている。
【００５６】
したがって、下側カバー７を操作部支持枠１３の前面側に装着するときには、下側カバー７に設けた左右の一対の外嵌支持部７ｃを、枢支軸１１に外嵌させ、その状態で、枢支軸１１を支点として下側カバー７を上方側に揺動させて、係合部Ｆを被係合部としての貫通孔Ｅに係合させることになる。
また、下側カバー７を外すときには、枢支軸１１を支点として下側カバー７を下方側に揺動させて、係合部Ｆを被係合部としての貫通孔Ｅから離脱させ、その後、下側カバー７を枢支軸１１から離間する方向に移動操作して、外嵌支持部７ｃを枢支軸１１から外すことになる。
【００５７】
（当接部及び被当接部の詳細）
図１０及び図１１に示すように、外嵌支持部７ｃにおける開口部７ｅが形成される開口部形成部を枢支軸１１に載置した状態で下側カバー７を操作部支持枠１３に近接する側に揺動させたときに、操作部支持枠１３の内蓋１３ｄに設けられた被当接部Ｙとの当接により下側カバー７を下方側に押圧移動させる当接部Ｘが、外嵌支持部７ｃ設けられている。
尚、開口部形成部は、外嵌支持部７ｃの開口部７ｅの周縁部によって構成されている。
【００５８】
本実施形態においては、当接部Ｘが、外嵌支持部７ｃにおける開口部７ｅよりも上側部分の外周部にて構成され、そして、被当接部Ｙが、挿通口１４ｂの周縁部にて構成されている。
つまり、外嵌支持部７ｃにおける開口部７ｅよりも上側部分の外周部のうちで、下側カバー７に隣接する隣接部分が、外嵌支持部７ｃを枢支軸１１に外嵌させた状態で下側カバー７を操作部支持枠１３に近接する側に揺動させたときに、挿通口１４ｂの周縁部にて構成される被当接部Ｙに当接する外径となるように、下側カバー７に近づくほど大径となるカム面状に形成されている。
【００５９】
したがって、下側カバー７を操作部支持枠１３に装着する際において、複数の外嵌支持部７ｃを枢支軸１１に外嵌するときに、外嵌支持部７ｃにおける開口部７ｅを枢支軸１１に向けた状態で、枢支軸１１に向かって下側カバー７を押圧移動操作する操作力が不十分である等のために、左右一対の外嵌支持部７ｃの一部又は全部における開口部形成部が枢支軸１１に載置した状態となっている場合でも、下側カバー７を操作部支持枠１３に近接する側に揺動させることにより、下側カバー７に設けられた当接部Ｘが被当接部Ｙに当接して、下側カバー７が下方側に押圧移動される。
【００６０】
その結果、下側カバー７を操作部支持枠１３に装着する際において、外嵌支持部７ｃの開口部形成部が枢支軸１１に載置された状態で、下側カバー７を操作部支持枠１３に近接する側に揺動させても、開口部形成部が枢支軸１１に載置した状態の外嵌支持部７ｃを枢支軸１１に外嵌させることができる。
【００６１】
そして、下側カバー７を操作部支持枠１３に近接する側に揺動させるに伴って、枢支軸１１に載置された状態となっている外嵌支持部７ｃを枢支軸１１に向かって移動させるにあたり、外嵌支持部７ｃに設けた当接部Ｘを操作部支持枠１３に設けた被当接部Ｙに当接させるものであるから、外嵌支持部７ｃを的確に枢支軸１１に向かって移動させることができるものとなるため、外嵌支持部７ｃを適切に枢支軸１１に外嵌させることができる。
【００６２】
また、下側カバー７を操作部支持枠１３に近接する側に揺動させるときには、外嵌支持部７ｃが設けられる下端部とは上下反対側の下側カバー７における上端側部分を支持しながら、下側カバー７を操作部支持枠１３に近接する側に揺動操作することになるから、下側カバー７の上下長さを利用したモーメント力が得られるため、外嵌支持部７ｃに設けた当接部Ｘを被当接部Ｙに当接することによって、下側カバー７の揺動に抵抗が与えられても、下側カバー７を操作部支持枠１３に近接する側に揺動させる操作力が大きくなることを抑制でき、その結果、下側カバー７を操作部支持枠１３に近接する側に揺動させることを良好に行うことができる。
【００６３】
（当接部と被当接部との作用の詳細）
次に、下側カバー７に設けられた当接部Ｘと内蓋１３ｄに設けられた被当接部Ｙとの当接により、外嵌支持部７ｃの開口部形成部が枢支軸１１に載置された状態で、下側カバー７を操作部支持枠１３の前面部に装着するときの動作の一例について説明する。
【００６４】
図１０及び図１１には、下側カバー７に設けられた一対の外嵌支持部７ｃが枢支軸１１に外嵌せず、その一対の外嵌支持部７ｃの開口部形成部が枢支軸１１に載置された状態であり、かつ、外嵌支持部７ｃに設けられた当接部Ｘが内蓋１３ｄに設けられた被当接部Ｙに当接したときの状態が示されている。
【００６５】
一対の外嵌支持部７ｃの開口部形成部が枢支軸１１に載置された状態で、下側カバー７を操作部支持枠１３に近接する側に揺動させると、当接部Ｘが被当接部Ｙと当接させることにより、下側カバー７の下方側に向かう押圧力が付与され、下側カバー７を下方側に押圧移動させることができる。これにより、枢支軸１１に載置された一対の外嵌支持部７ｃが枢支軸１１に外嵌した状態となる（図９参照）。
【００６６】
ちなみに、下側カバー７を水平姿勢（横倒れ姿勢）にする状態で、外嵌支持部７ｃの開口部形成部を枢支軸１１に当て付けた状態は、外嵌支持部７ｃの開口部形成部が枢支軸１１に載置された状態ではないが、下側カバー７を水平姿勢（横倒れ姿勢）から上方側に揺動させることにより、外嵌支持部７ｃの開口部形成部が枢支軸１１に載置された状態となるから、下側カバー７を水平姿勢（横倒れ姿勢）とする状態で、外嵌支持部７ｃを枢支軸１１に外嵌させる際に、適正通り外嵌できないときにも、下側カバー７を水平姿勢（横倒れ姿勢）から上方側に揺動させることにより、外嵌支持部７ｃの開口部形成部が枢支軸１１に載置された状態となって、外嵌支持部７ｃを枢支軸１１に外嵌させることができる。
【００６７】
このように、下側カバー７を操作部支持枠１３に装着する場合において、一対の外嵌支持部７ｃが枢支軸１１に外嵌していない状態で、下側カバー７を操作部支持枠１３に近接する側に揺動させた場合においても、下側カバー７が、操作部支持枠１３の前面部に、外嵌支持部７ｃを枢支軸１１に外嵌させた状態で適切に装着される。よって、下側カバー７の操作部支持枠１３に対する装着を良好に行うことができる。
【００６８】
〔別実施形態〕
以下、別実施形態を列記する。
【００６９】
（１）上記実施形態においては、左右一対の外嵌支持部７ｃの開口部形成部が枢支軸１１に載置された状態で、下側カバー７を操作部支持枠１３に近接する側に揺動させると、当接部Ｘが被当接部Ｙと当接させることにより、枢支軸１１に載置された一対の外嵌支持部７ｃが枢支軸１１に外嵌した状態となる例を示したが、これに限らず、一対の外嵌支持部７ｃのうち一方が枢支軸１１に載置され、他方が枢支軸１１に外嵌された状態で、下側カバー７を操作部支持枠１３に近接する側に揺動させる場合においても、当接部Ｘが被当接部Ｙと当接することにより、枢支軸１１に載置された一方の外嵌支持部７ｃを枢支軸１１に外嵌させることができる。
【００７０】
（２）上記実施形態においては、外嵌支持部７ｃの外周部を当接部Ｘに構成する場合を例示したが、例えば、外嵌支持部７ｃの横側面部に、当接部Ｘを構成する部材を付設するようにする等、当接部Ｘを形成する具体構成は各種変更でき、そして、当接部Ｘの構成に合わせて、被当接部Ｙの構成も各種変更できる。
【００７１】
（３）上記実施形態においては、操作部支持枠１３の内蓋１３ｄに形成されている係合片用挿通口１５の周縁部を有効利用して、被当接部Ｙを構成する場合を例示したが、例えば、内蓋１３ｄが備えられていないときには、支持枠本体部１３ｂに被当接部Ｙを構成する部材を設けるようにする等、被当接部Ｙを形成する具体構成は各種変更できる。
【００７２】
（４）上記実施形態においては、操作部支持枠１３が、支持枠本体部１３ｂと内蓋１３ｄとから構成される場合を例示したが、内蓋１３ｄを備えない支持枠本体部１３ｂにて操作部支持枠１３を構成する等、操作部支持枠１３の具体構成は各種変更できる。
【００７３】
（５）上記実施形態においては、下側カバー７の下端部の左右両側に、枢支軸１１に揺動自在に外嵌する一対の外嵌支持部７ｃを設ける場合を例示したが、下側カバー７の下端部に３つ以上の外嵌支持部７ｃを設けてもよい。
【００７４】
（６）上記実施形態では、加熱調理器として、加熱手段としてコンロバーナ１やグリルバーナを備えるガスコンロＧＣを例示したが、加熱手段として電磁誘導加熱部を備えた電磁調理器にも本発明は適用できるものである。
【符号の説明】
【００７５】
７      操作部カバー
７ｃ    外嵌支持部
７ｅ    開口部
１１    枢支軸
１３    操作部支持枠
１３ａ  支持枠開口部
１３ｂ  本体部
１３ｄ  内蓋
１４ｂ  挿通口
Ｅ      被係合部
Ｆ      係合部
Ｈ      加熱調理器本体
Ｍ      加熱調理器用操作装置
Ｎ      運転操作部
Ｙ      被当接部
Ｘ      当接部
【図１】
0006618372.tif 000002
【図２】
0006618372.tif 000003
【図３】
0006618372.tif 000004
【図４】
0006618372.tif 000005
【図５】
0006618372.tif 000006
【図６】
0006618372.tif 000007
【図７】
0006618372.tif 000008
【図８】
0006618372.tif 000009
【図９】
0006618372.tif 000010
【図１０】
0006618372.tif 000011
【図１１】
0006618372.tif 000012
【図１２】
0006618372.tif 000013
【図１３】
0006618372.tif 000014